(57)【特許請求の範囲】
【請求項１】
吸込口と放出口間に送風用のファンユニット及び除湿用の冷却器を配設し、前記吸込口から吸込んだ空気を除湿して前記放出口から放出する除湿装置において、外装キャビネットの内部に、当該外装キャビネットの内部を前後に仕切り、かつ平面視をコの字形に折曲することにより、仕切面の両側に右支持面と左支持面を一体形成した内部フレームを設け、前記仕切面により、当該仕切面に形成した開口部に臨む前記ファンユニットを支持するとともに、前記右支持面と前記左支持面により、前記冷却器を支持し、かつ冷却器の送風方向前方に、前記内部フレームにより支持される乾燥用の凝縮器を配し、さらに、前記内部フレームの上下方向中程に、ドレン回収用のドレンパンを支持してなることを特徴とする除湿装置。
【請求項２】
前記外装キャビネットは、上フロントパネル部と下フロントパネル部を有することを特徴とする請求項１記載の除湿装置。
【請求項３】
前記内部フレームは、前記ドレンパンに設けた係止片部が挿入する係止孔部を有することを特徴とする請求項１記載の除湿装置。
【請求項４】
前記係止孔部は、複数の矩形孔を段違いに組合わせて形成することを特徴とする請求項３記載の除湿装置。
【発明の詳細な説明】
【０００１】
【発明の属する技術分野】
本発明は、保管倉庫等の湿気を嫌う空間の除湿を行う際に用いて好適な業務用の除湿装置に関する。
【０００２】
【従来技術及び課題】
従来、吸込口と放出口間に送風用のファンユニット及び除湿用の冷却器を配設し、吸込口から吸込んだ空気を除湿して放出口から放出するようにした除湿装置は、例えば、既に、本出願人が提案した特公平８−６９３５号公報で開示される恒温空気供給装置が知られている。
【０００３】
ところで、この種の除湿装置は、通常、外装キャビネットの内部に、吸込口と放出口間に連通する空気通路を有するとともに、この空気通路内に配設する少なくとも送風用のファンユニット及び除湿用の冷却器を備えるため、空気の流れをガイドする各種ガイド部材やファンユニット及び冷却器を支持する各種支持部材が必要となり、結局、部品点数の増加に伴う装置全体の大型化，組立工数の増加及びコストアップを招くという解決すべき課題が存在した。
【０００４】
本発明は、このような従来技術に存在する課題を解決したものであり、部品点数の大幅削減による装置全体の小型コンパクト化，組立性の向上及びコストダウンを図ることができる除湿装置の提供を目的とする。
【０００５】
【課題を解決するための手段及び実施の形態】
本発明は、吸込口Ｈｉと放出口Ｈｏ…間に送風用のファンユニット２及び除湿用の冷却器３を配設し、吸込口Ｈｉから吸込んだ空気Ａを除湿して放出口Ｈｏ…から放出する除湿装置１を構成するに際して、外装キャビネット４の内部に、当該外装キャビネット４の内部を前後に仕切り、かつ平面視をコの字形に折曲することにより、仕切面５ｓの両側に右支持面５ｐと左支持面５ｑを一体形成した内部フレーム５を設け、仕切面５ｓにより、当該仕切面５ｓに形成した開口部６に臨むファンユニット２を支持するとともに、右支持面５ｐと左支持面５ｑにより、冷却器３を支持し、かつ冷却器３の送風方向（Ｆ方向）前方に、内部フレーム５により支持される乾燥用の凝縮器７を配し、さらに、内部フレーム５の上下方向中程に、ドレン回収用のドレンパン８を支持してなることを特徴とする。
【０００６】
この場合、好適な実施の形態により、外装キャビネット４は、上フロントパネル部１４ｕと下フロントパネル部１４ｄを有する。また、内部フレーム５は、ドレンパン８に設けた係止片部９…が挿入する係止孔部１０…を有し、この係止孔部１０…は、複数の矩形孔１０ａ，１０ｂ，１０ｃ…を段違いに組合わせて形成することができる。
【０００７】
これにより、平面視がコの字形となるように、折曲仕切面５ｓ，右支持面５ｐ及び左支持面５ｑが一体形成された内部フレーム５は、空気Ａの流れをガイドするガイド部材と、ファンユニット２及び冷却器３、さらに凝縮器７及びドレンパン８を支持する支持部材を兼用する。
【０００８】
【実施例】
次に、本発明に係る好適な実施例を挙げ、図面に基づき詳細に説明する。
【０００９】
まず、本実施例に係る除湿装置１の構成について、図１〜図５を参照して説明する。
【００１０】
図１は、除湿装置１を構成する主要部品（主要部材）を示す。４は外装キャビネットであり、この外装キャビネット４は、本体パネル部１１と、この本体パネル部１１の底部を覆うベースパネル部１２と、本体パネル部１１の天部を覆うカバーパネル部１３と、本体パネル部１１の前部上半部を覆う上フロントパネル部１４ｕと、本体パネル部１１の前部下半部を覆う下フロントパネル部１４ｄを備える。
【００１１】
この場合、本体パネル部１１は、平面視をコの字形に折曲することにより、リアパネル部１１ｒと、このリアパネル部１１ｒの両側から前方へ延出した右サイドパネル部１１ｐ及び左サイドパネル部１１ｑを一体形成する。また、リアパネル部１１ｒには、メッシュ状に開口した放出口Ｈｏを設けるとともに、右サイドパネル部１１ｐの後部及び左サイドパネル部１１ｑの後部にも、それぞれメッシュ状に開口した放出口Ｈｏ…を設ける。一方、ベースパネル部１２の底面には、複数の自在キャスタ１５…を装着するとともに、カバーパネル部１３の後部には、メッシュ状に開口した放出口Ｈｏを設ける。さらに、上フロントパネル部１４ｕには、メッシュ状に開口した吸込口Ｈｉを設けるとともに、その隣に、電源スイッチ，タイマ，設定部等の操作パネルを含むコントローラユニットの配設部１６を確保する。外装キャビネット４は、組立てることにより、図３に示す外観構成となり、内部は、図２に示すように、外装キャビネット４により囲まれる空間が形成される。
【００１２】
他方、５は内部フレームである。この内部フレーム５は、平面視をコの字形に折曲することにより、外装キャビネット４の内部を仕切る仕切面５ｓと、この仕切面５ｓの両側から前方へ延出した右支持面５ｐ及び左支持面５ｑを一体形成する。内部フレーム５は、外装キャビネット４の内部に配設し、外装キャビネット４の内部を前後に仕切ることにより、容積がそれぞれ半々程度となる前室Ｒｆと後室Ｒｒを形成する。
【００１３】
また、仕切面５ｓの上半部には、円形の開口部６を形成し、この開口部６に送風用のファンユニット２を付設する。この場合、ファンユニット２は、図２に示すように、取付ブラケット１７により仕切面５ｓの後面に取付け、開口部６に対して同軸上に配設する。これにより、仕切面５ｓは、開口部６に臨むファンユニット２を支持する。一方、右支持面５ｐ及び左支持面５ｑの前端上半部には、それぞれ取付プレート部１８ｐ及び１８ｑを一体形成し、この取付プレート部１８ｐ，１８ｑに、除湿用の冷却器３の両側を取付ける。さらに、仕切面５ｓの前面には乾燥用の凝縮器７の両側を取付ける。これにより、内部フレーム５は、右支持面５ｐ及び左支持面５ｑにより冷却器３を支持するとともに、仕切面５ｓにより、凝縮器７を支持する。なお、凝縮器７は、冷却器３に対して送風方向（Ｆ方向）前方に配される。他方、後室Ｒｒ内におけるベースパネル部１２上には、コンプレッサ１９を設置する。上述した冷却器３，凝縮器７及びコンプレッサ１９は、不図示のドライヤ，キャピラリチューブ，アキュムレータ等と共に、冷媒が循環する冷凍サイクルを構成する。
【００１４】
さらに、８は水平に配するドレン回収用のドレンパンである。このドレンパン８は、ドレン排出孔２０を有し、このドレン排出孔２０には下方に延出する排出ガイド管２１を付設する。この場合、ドレンパン８の後端には、後方に突出する三つの係止片部９…を一体形成する。図４は一つの係止片部９を示す。
【００１５】
一方、仕切面５ｓの上下方向中程には、係止片部９…が挿入する係止孔部１０…を形成する。一つの係止孔部１０（他も同じ）は、複数の矩形孔１０ａ，１０ｂ，１０ｃを段違いに組合わせて形成する。即ち、図５に示すように、二つの矩形孔１０ａ，１０ｂを横方へ離間して形成し、一つの矩形孔１０ｃを矩形孔１０ａ，１０ｂよりも下方位置であって一部が各矩形孔１０ａ，１０ｂにオーバラップするように形成する。これにより、矩形孔１０ｃを、図５に実線で示す位置Ｘ１に設ければ、三つの矩形孔１０ａ，１０ｂ，１０ｃにより形成される上下方向のクリアランスは、Ｌ１となり、厚さが略Ｌ１の係止片部９を挿入した際にガタ無く支持することができる。他方、矩形孔１０ｃを、図５に仮想線で示す位置Ｘ２に設ければ、三つの矩形孔１０ａ，１０ｂ，１０ｃにより形成される上下方向のクリアランスは、Ｌ２となり、厚さが略Ｌ２の係止片部９を挿入した際にガタ無く支持することができる。また、矩形孔１０ａと１０ｂの間隔を設定すれば、係止片部９…の横幅に対応させることができる。このように、一つの矩形孔１０ａを形成するポンチを用意するのみで、係止片部９…の各種厚さ及び横幅に対応した各種係止孔部１０…を形成できる。
【００１６】
なお、ドレンパン８を内部フレーム５に取付ける場合には、係止片部９…を、仕切面５ｓに設けた係止孔部１０…に挿入した後、前端を取付プレート部１８ｐ，１８ｑの下端に取付ければよく、上フロントパネル部１４ｕを取外すことにより、ドレンパン８の着脱及びメンテナンスを容易に行うことができる。
【００１７】
他方、ドレンパン８の下方はタンク収容室となり、このタンク収容室には、ドレンタンク２２を収容する。ドレンタンク２２は、上部にタンク口２３を有し、このタンク口２３に、排出ガイド管２１の下端口を臨ませることができる。
【００１８】
次に、本実施例に係る除湿装置１の動作（機能）について、各図を参照して説明する。
【００１９】
まず、空気Ａは、図３に示すように、上フロントパネル部１４ｕの吸込口Ｈｉから外装キャビネット４の内部に吸込まれ、冷却器３により冷却される。この際、冷却器３を通過する空気Ａは、冷却器３により冷却（熱交換）され、空気Ａ中の過飽和水分が除去される。除去された水分はドレンパン８上に落下し、さらに、ドレン排出孔２０，排出ガイド管２１，タンク口２３を経て、ドレンタンク２２に回収される。また、冷却器３を通過した空気Ａは、凝縮器７を通過することにより、僅かに暖められて乾燥し、この後、複数の放出口Ｈｏ…から上方，後方，右方及び左方に放出される。
【００２０】
なお、空気Ａは、カバーパネル部１３，右支持面５ｐ，左支持面５ｑ，ドレンパン８により形成される空気通路によりガイドされる。また、仕切面５ｓは、ファンユニット２のファンフードを兼ねている。さらに、凝縮器７は、ドレンパン８上に配するため、凝縮器７を洗浄した際の排水は、ドレンパン８からドレンタンク２２に回収することができる。
【００２１】
このように、本実施例に係る除湿装置１によれば、外装キャビネット４の内部に内部フレーム５を設け、この内部フレーム５の仕切面５ｓにより、当該仕切面５ｓに形成した開口部６に臨むファンユニット２を支持するとともに、内部フレーム５の右支持面５ｐと左支持面５ｑにより、冷却器３を支持するため、内部フレーム５は、空気Ａの流れをガイドするガイド部材と、ファンユニット２及び冷却器３、さらに凝縮器７及びドレンパン８を支持する支持部材を兼用し、部品点数の大幅削減による装置全体の小型コンパクト化，組立性の向上及びコストダウンが図られる。特に、内部フレーム５には、ドレンパン８に設けた係止片部９…が挿入する係止孔部１０…を形成するとともに、この係止孔部１０…は、複数の矩形孔１０ａ…を段違いに組合わせて形成したため、異なる係止片部９…に対応した異なるポンチが不要となり、コスト削減に寄与できる。
【００２２】
以上、実施例について詳細に説明したが、本発明はこのような実施例に限定されるものではなく、細部の構成，形状，数量等において、本発明の要旨を逸脱しない範囲で任意に変更，追加，削除することができる。例えば、冷却器３の送風方向前方に配した乾燥用の凝縮器７は、ヒータ等に置換してもよい。
【００２３】
【発明の効果】
このように、本発明に係る除湿装置は、外装キャビネットの内部に、当該外装キャビネットの内部を前後に仕切り、かつ平面視をコの字形に折曲することにより、仕切面の両側に右支持面と左支持面を一体形成した内部フレームを設け、仕切面により、当該仕切面に形成した開口部に臨むファンユニットを支持するとともに、右支持面と左支持面により、冷却器を支持し、かつ冷却器の送風方向前方に、内部フレームにより支持される乾燥用の凝縮器を配し、さらに、内部フレームの上下方向中程に、ドレン回収用のドレンパンを支持してなるため、次のような顕著な効果を奏する。
【００２４】
（１）空気の流れをガイドするガイド部材と、ファンユニット，冷却器，凝縮器及びドレンパンを支持する支持部材を兼用する内部フレームを設けたため、部品点数の大幅削減による装置全体の小型コンパクト化，組立性の向上及びコストダウンを図ることができる。また、内部フレームの上下方向中程に、ドレン回収用のドレンパンを支持してなるため、ドレンパンの着脱及びメンテナンスを容易に行うことができる。
【００２５】
（２）好適な実施の形態により、内部フレームに、ドレンパンに設けた係止片部が挿入する係止孔部を形成するとともに、この係止孔部を、複数の矩形孔を段違いに組合わせて形成すれば、異なる係止片部に対応した異なるポンチが不要となり、コスト削減に寄与できる。
【図面の簡単な説明】
【図１】本発明の好適な実施例に係る除湿装置の主要部品を示す分解斜視図、
【図２】同除湿装置における外装キャビネット及び内部フレームの側面断面図、
【図３】同除湿装置の外観斜視図、
【図４】同除湿装置における内部フレームに設けた係止孔部及びドレンパンに設けた係止片部の斜視図、
【図５】同除湿装置における内部フレームに設けた係止孔部の正面図、
【符号の説明】
１        除湿装置
２        ファンユニット
３        冷却器
４        外装キャビネット
５        内部フレーム
５ｓ      仕切面
５ｐ      右支持面
５ｑ      左支持面
６        開口部
７        凝縮器
８        ドレンパン
９…      係止片部
１０…    係止孔部
１０ａ…  矩形孔
Ｈｉ      吸込口
Ｈｏ…    放出口
Ａ        空気
【図１】
0003623909.tif 000002
【図２】
0003623909.tif 000003
【図３】
0003623909.tif 000004
【図４】
0003623909.tif 000005
【図５】
0003623909.tif 000006